【手続補正書】
【提出日】平成20年1月11日(2008.1.11)
【手続補正１】
【補正対象書類名】明細書
【補正対象項目名】全文
【補正方法】変更
【補正の内容】
【書類名】 明細書
【発明の名称】ミネラル入り素材を含む調理器具及び食器類
【特許請求の範囲】
【請求項１】
本体を構成する金属板に該金属板の素材以外の動物の身体に有効な鉱物を含有させて、該鉱物が液体に溶け易くしたことを特徴とするミネラル入り素材を含む調理器具及び食器類。
【請求項２】
本体を構成する金属板に該金属板の素材以外の動物の身体に有効な鉱物を含有させた他の素材の金属板を張り合わせて、該鉱物が液体に溶け易くしたことを特徴とするミネラル入り素材を含む調理器具及び食器類。
【請求項３】
本体を構成する金属板に該金属板の素材以外の動物の身体に有効な鉱物を含有させた他の素材の複数の金属板を張り合わせて、該鉱物が液体に溶け易くしたことを特徴とするミネラル入り素材を含む調理器具及び食器類。
【請求項４】
本体を構成する金属板に該金属板の素材以外の動物の身体に有効な鉱物の複数の粒子や切り片を圧延時に含有させて、該鉱物が液体に溶け易くしたことを特徴とするミネラル入り素材を含む調理器具及び食器類。
【請求項５】
本体を構成する金属板に該金属板の素材以外の動物の身体に有効な鉱物を表面にメッキさせて、該鉱物が液体に溶け易くしたことを特徴とするミネラル入り素材を含む調理器具及び食器類。
【請求項６】
本体を構成する合成樹脂材又はガラス材又はセラミック材又は陶器材に動物の身体に有効な鉱物を含有させて、該鉱物が液体に溶け易くしたことを特徴とするミネラル入り素材を含む調理器具及び食器類。
【請求項７】
本体を構成する合成樹脂材又はガラス材又はセラミック材又は陶器材に動物の身体に有効な鉱物を含有させた金属材又は合成樹脂材又はガラス材又はセラミック材又は陶器材を張り合わせて、該鉱物が液体に溶け易くしたことを特徴とするミネラル入り素材を含む調理器具及び食器類。
【請求項８】
本体を構成する合成樹脂材又はガラス材又はセラミック材又は陶器材に動物の身体に有効な鉱物を含有させた複数の金属材又は合成樹脂材又はガラス材又はセラミック材又は陶器材を張り合わせて、該鉱物が液体に溶け易くしたことを特徴とするミネラル入り素材を含む調理器具及び食器類。
【請求項９】
本体を構成する合成樹脂材又はガラス材又はセラミック材又は陶器材に動物の身体に有効な鉱物の複数の粒子や切り片を圧延時に含有させて、該鉱物が液体に溶け易くしたことを特徴とするミネラル入り素材を含む調理器具及び食器類。
【請求項１０】
本体を構成する合成樹脂材又はガラス材又はセラミック材又は陶器材に動物の身体に有効な鉱物を表面にメッキさせて、該鉱物が液体に溶け易くしたことを特徴とするミネラル入り素材を含む調理器具及び食器類。
【発明の詳細な説明】
【０００１】
【発明の属する技術分野】
本発明は、ミネラル入り素材を含む調理器具及び食器類に関するもので、更に詳細には、各種ミネラルを補給するために各種ミネラルを含有した鉱物材料で形成したミネラル入り素材を含む調理器具及び食器類に関するものである。
【０００２】
【従来の技術】
従来の鍋等の調理器具は鉄、銅、アルミニューム製が主身体であり、鉄製鍋や鉄製フライパンは調理時に鉄分が溶け出し、食事により身体内に鉄分を取り入れることが出来、身体に良いことが周知である。また、石鍋等は岩石に含まれる鉱物質のミネラルが溶け出し、ミネラルが味を引き出したり、身体内に取り入れられ有効と考えられる。
【０００３】
【発明が解決しようとする課題】
然し乍ら、石鍋は重く扱いにくく、壊れやすい。鉄鍋は、鉄分だけが溶け出すのみで他の亜鉛やゲルマニューム等の他のミネラルは含まれない。また、他には調理器具、食事器具、飲食容器等でミネラルが補給されるものはなかった。
【０００４】
また、ミネラルが不足すると、欠乏症が起き、様々な病気の原因となり得ます。また、ミネラルは身体内で一定のバランスを保ちながら働いているため、不足しても過剰になっても、健康に影響を与えることになります。そのため、欠乏症だけでなく過剰症にも注意する必要があります。ミネラルは生命にとって必要不可欠でありながら不足しがちであり、人間の身体内では作り出せないものなので、食物から摂取するしかないという問題点があった。
【０００５】
【課題を解決するための手段】
本発明は、前述の問題点に鑑み、鋭意研鑽の結果、ミネラル入り素材を含む調理器具及び食器類であって、本体を構成する金属板に該金属板の素材以外の動物の身体に有効な鉱物を含有させて、又は、鉱物を含有させた他の素材の金属板を張り合わせて、又は、鉱物を含有させた他の素材の複数の金属板を張り合わせて、又は、鉱物の複数の粒子や切り片を圧延時に含有させて、又は、鉱物を表面にメッキさせて、鉱物が液体に溶け易くしたものである。
【０００６】
更には、ミネラル入り素材を含む調理器具及び食器類であって、本体を構成する合成樹脂材又はガラス材又はセラミック材又は陶器材に動物の身体に有効な鉱物を含有させて、又は、鉱物を含有させた金属材又は合成樹脂材又はガラス材又はセラミック材又は陶器材を張り合わせて、又は、鉱物を含有させた複数の金属材又は合成樹脂材又はガラス材又はセラミック材又は陶器材を張り合わせて、又は、鉱物の複数の粒子や切り片を圧延時に含有させて、又は、鉱物を表面にメッキさせて、鉱物が液体に溶け易くしたものである。
【０００７】
【発明を実施するための最良の形態】
基本的にミネラルとはナトリウム、カルシウム、カリウム、マンガン、マグネシウム、ケイ素、亜鉛、セレニウム、コバルト、リチウム、鉄、リン、ゲルマニウム、モリブデン、ニッケル、バナジウム、銅、クロム、セレン、ヨウ素等であるが、ビタミン等を混合したもの、ミネラル元素を含んだ石でも良い。ここでの鉱物とは、これらのミネラルを示し、主に金属元素のことである。特にこれらの元素は微量で効果のあるものである。化学反応等により有毒となる混合は避ける。また、多量に摂取すると害が発生するものは許容量を守る必要がある。
【０００８】
本発明は、ミネラルが溶け出すミネラル鋼板を示す。ミネラル鋼板とは、調理用具、食事器具、飲食容器を形作る主な材料としての鉄、ステンレス、チタン等の金属板に、又は、合成樹脂材、ガラス材、セラミック材、陶器材に人、動物の必要とするミネラルを含有させ、これらの器具を使用する時に、自然と動物の身体内にミネラルが補給されること狙ったものである。また、ミネラルを補給できる調理器具、食事器具、飲食容器等とは、金属材、合成樹脂材、ガラス材、セラミック材、陶器材に動物の必要とするミネラルを含有させ、これらの器具を使用する時自然に動物の身体内にミネラルが補給されることを狙った器具である。含有させるミネラルは複数種でも単体でも良く、ここでのミネラルの含有とは、金属材料に含まれるミネラルを指すものである。
【０００９】
本発明は、ミネラル入り素材を含む調理器具及び食器類に関するもので、更に詳細には、各種ミネラルを補給するために各種鉱物ミネラルを含有した材料で形成したミネラル入り素材を含む調理器具及び食器類に関するものであり、請求項１に記載のミネラル入り素材を含む調理器具及び食器類は、本体を構成する金属板に該金属板の素材以外の動物の身体に有効な鉱物を含有させて、該鉱物が液体に溶け易くしたことを特徴とするものである。
【００１０】
更に、請求項２に記載のミネラル入り素材を含む調理器具及び食器類は、本体を構成する金属板に該金属板の素材以外の動物の身体に有効な鉱物を含有させた他の素材の金属板を張り合わせて、該鉱物が液体に溶け易くしたことを特徴とするものである。
【００１１】
更には、請求項３に記載のミネラル入り素材を含む調理器具及び食器類は、本体を構成する金属板に該金属板の素材以外の動物の身体に有効な鉱物を含有させた他の素材の複数の金属板を張り合わせて、該鉱物が液体に溶け易くしたことを特徴とするものである。
【００１２】
加えて、請求項４に記載のミネラル入り素材を含む調理器具及び食器類は、本体を構成する金属板に該金属板の素材以外の動物の身体に有効な鉱物の複数の粒子や切り片を圧延時に含有させて、該鉱物が液体に溶け易くしたことを特徴とするものである。
【００１３】
また、請求項５に記載のミネラル入り素材を含む調理器具及び食器類は、本体を構成する金属板に該金属板の素材以外の動物の身体に有効な鉱物を表面にメッキさせて、該鉱物が液体に溶け易くしたことを特徴とするものである。
【００１４】
更に、請求項６に記載のミネラル入り素材を含む調理器具及び食器類は、本体を構成する合成樹脂材又はガラス材又はセラミック材又は陶器材に動物の身体に有効な鉱物を含有させて、該鉱物が液体に溶け易くしたことを特徴とするものである。
【００１５】
更には、請求項７に記載のミネラル入り素材を含む調理器具及び食器類は、本体を構成する合成樹脂材又はガラス材又はセラミック材又は陶器材に動物の身体に有効な鉱物を含有させた金属材又は合成樹脂材又はガラス材又はセラミック材又は陶器材を張り合わせて、該鉱物が液体に溶け易くしたことを特徴とするものである。
【００１６】
加えて、請求項８に記載のミネラル入り素材を含む調理器具及び食器類は、本体を構成する合成樹脂材又はガラス材又はセラミック材又は陶器材に動物の身体に有効な鉱物を含有させた複数の金属材又は合成樹脂材又はガラス材又はセラミック材又は陶器材を張り合わせて、該鉱物が液体に溶け易くしたことを特徴とするものである。
【００１７】
また、請求項９に記載のミネラル入り素材を含む調理器具及び食器類は、本体を構成する合成樹脂材又はガラス材又はセラミック材又は陶器材に動物の身体に有効な鉱物の複数の粒子や切り片を圧延時に含有させて、該鉱物が液体に溶け易くしたことを特徴とするものである。
【００１８】
更には、請求項１０に記載のミネラル入り素材を含む調理器具及び食器類は、本体を構成する合成樹脂材又はガラス材又はセラミック材又は陶器材に動物の身体に有効な鉱物を表面にメッキさせて、該鉱物が液体に溶け易くしたことを特徴とするものである。
【００１９】
【実施例】
以下、本発明のミネラル入り素材を含む調理器具及び食器類の実施例を図面により具身体的に説明すると、図１は本発明のミネラル入り素材を含む調理器具及び食器類の実施例の（ａ）は圧延積層時の斜視図であり、（ｂ）はその断面図であり、図２は本発明のミネラル入り素材を含む調理器具及び食器類の次実施例の（ａ）は圧延時の斜視図であり、（ｂ）はその断面図であり、図３は本発明のミネラル入り素材を含む調理器具及び食器類の他の実施例の斜視図であり、図４は本発明のミネラル入り素材を含む調理器具及び食器類の更にその他の実施例の斜視図であり、図５は本発明のミネラル入り素材を含む調理器具及び食器類の実施例１の斜視図であり、図６は本発明のミネラル入り素材を含む調理器具及び食器類の実施例２の斜視図であり、図７は本発明のミネラル入り素材を含む調理器具及び食器類の実施例３の斜視図であり、図８は本発明のミネラル入り素材を含む調理器具及び食器類の実施例４の斜視図であり、図９は本発明のミネラル入り素材を含む調理器具及び食器類の実施例５の斜視図であり、図１０は本発明のミネラル入り素材を含む調理器具及び食器類の実施例６の斜視図であり、図１１は本発明のミネラル入り素材を含む調理器具及び食器類の実施例７の斜視図である。
【００２０】
即ち、図１（ａ）に図示するものは、金属溶融時にミネラルとなる有効な鉱物、すなわちミネラルをかき混ぜ圧延したミネラル含有鋼板１を本体を構成するための金属板２と共に圧延ローラ３にて圧延し、２層に層化したものであり、また、ミネラルを含有したミネラル含有鋼板１は窪みを刻設して、該窪みにミネラルを埋め込むことで含有させても良いもので、また、多層化しても良く、ここでは多層化は強度、熱伝導、電磁性等を高めたりするために積層化するものであり、図１（ｂ）に図示するものは、積層したミネラル含有鋼板１と金属板２との断面図である。
【００２１】
そして、図２に図示するものは、ミネラル入り素材を含有した鋼板の次実施例であり、（ａ）は金属板２の上にミネラル４を蒔き、圧延ローラ３にて圧延をして蒔いたミネラル４を金属板２へ埋め込んだミネラル入り素材を含有した鋼板としたものであり、圧延は冷間圧延でも熱間圧延でも良いもので、図２（ｂ）はそのミネラル入り素材を含有した鋼板の断面図である。ただし、マグネシウムのように高温で酸化するようなものは避けるものである。
【００２２】
次に、図３に図示するものは、他の実施例で本体を構成する金属板２に複数のミネラル含有鋼板１を積層したものである。金属溶融時にミネラルをかき混ぜたミネラル含有鋼板１を圧延して複数種を配設したものである。さらに、夫々のミネラル含有鋼板１は横に並べても、部分的に貼り合わせても、重ね合わせても良く、また、図示はしていないが、形状は矩形状、円形状の線状でも良い。
【００２３】
次いで、図４に図示するものは、ミネラルをメッキ、焼き付けまたは焼結させた金属板２のその他の実施例である。金属板２の上に各種ミネラルをメッキまたは焼き付けまたは焼結５したもので、模様化しても構わないものである。
【００２４】
つまり、図１から図４までに図示された、これらのミネラル入り素材の鋼板はプレス等により成形されて、調理器具、食事器具、飲食用容器、飲食用保存容器に使用されるものである。
【００２５】
更に、図５に図示するものは、ミネラル入り素材の鋼板を用いた調理器具の実施例１である。調理用フライパンに前述の実施例の多層化したミネラル入り素材の鋼板を使用したものを示す。
【００２６】
更には、図６に図示するものは、ミネラル入り素材の鋼板を用いた調理器具の実施例２である。調理用フライパンに前述の次実施例のミネラル入り素材の鋼板を使用したものを示す。
【００２７】
次に、図７に図示するものは、本体を構成する金属板に複数のミネラル含有鋼板を積層した材料を用いた調理器具の実施例３である。調理用フライパンに前述の他の実施例のミネラル入り素材の鋼板を使用したものを示す。
【００２８】
次いで、図８に図示するものは、本体を構成する金属板にミネラル含有鋼板を用いた食事器具の実施例４である。調理用フライパンに前述の次実施例のミネラル入り素材の鋼板を使用したものを示す。
【００２９】
そして、図９に図示するものは、本体を構成する金属板に複数のミネラル含有鋼板を積層した材料を用いた調理器具の実施例５である。食事用スプーンに前述の他の実施例のミネラル入り素材の鋼板を使用したものを示す。
【００３０】
更に、図１０に図示するものは、ミネラルをメッキ、焼き付けまたは焼結させたミネラル含有鋼板を用いた食事器具の実施例６である。食事用スプーンに前述の更にその他の実施例のミネラルをメッキ、焼き付け、または焼結５させたミネラル入り素材の鋼板を使用した、または食事用スプーンを成形後にミネラルをメッキ、焼き付け、または焼結させたものである。
【００３１】
更には、図１１に図示するものは、鉱石、石材等のミネラル６の塊を陶器カップに埋め込み焼いたもの。また、ミネラル６が染み出しやすいように内部については上薬を付けないものでも良い。また、素焼きでも良く、さらに、上薬をつけて焼いた後に表面を削ったものでも良い。
【００３２】
また、図示はしないが、ガラスやセラミックにも図１１に図示する陶器カップと同じように成形前にミネラルを混ぜ合わせても良く、ガラスにおいては成形後固形化前に絡める、まぶす等をしても良く、セラミックについても成形後にミネラルをまぶす、埋める等により含有させても良い。合成樹脂においては、原料に粉状、固形体のミネラルを混ぜて成形する。
【００３３】
そして、ミネラル入り素材の鋼板の製造方法として、金属粒子にミネラルを混合してバインダーでつなぎ焼結しても良い。現在この方法は高価なため箸、スプーン、フォーク等の小物に向いている。
【００３４】
【発明の効果】
本発明のミネラル入り素材を含む調理器具及び食器類で、食事をすることにより、自然にミネラルが補給できるため健康維持に有効である。また、ミネラルを補給できるため傷病にも強い身体を作ることが出来る。さらに、亜鉛補給等により年寄りにおいてはボケ防止等につながる。
【００３５】
【図面の簡単な説明】
【図１】
図１は本発明のミネラル入り素材を含む調理器具及び食器類の実施例の（ａ）は圧延積層時の斜視図であり、（ｂ）はその断面図である。
【図２】
図２は本発明のミネラル入り素材を含む調理器具及び食器類の次実施例の（ａ）は圧延時の斜視図であり、（ｂ）はその断面図である。
【図３】
図３は本発明のミネラル入り素材を含む調理器具及び食器類の他の実施例の斜視図である。
【図４】
図４は本発明のミネラル入り素材を含む調理器具及び食器類の更にその他の実施例の斜視図である。
【図５】
図５は本発明のミネラル入り素材を含む調理器具及び食器類の実施例１の斜視図である。
【図６】
図６は本発明のミネラル入り素材を含む調理器具及び食器類の実施例２の斜視図である。
【図７】
図７は本発明のミネラル入り素材を含む調理器具及び食器類の実施例３の斜視図である。
【図８】
図８は本発明のミネラル入り素材を含む調理器具及び食器類の実施例４の斜視図である。
【図９】
図９は本発明のミネラル入り素材を含む調理器具及び食器類の実施例５の斜視図である。
【図１０】
図１０は本発明のミネラル入り素材を含む調理器具及び食器類の実施例６の斜視図である。
【図１１】
図１１は本発明のミネラル入り素材を含む調理器具及び食器類の実施例７の斜視図である。
【符号の説明】
１…ミネラル含有鋼板
２…金属板
３…圧延ローラ
４…ミネラル
５…メッキ、焼き付け、焼結
６…ミネラル